(57)【要約】【課題】照度を検出し、該検出結果に基づいて湿度及び／又は保湿微粒子を一定量増加させて、日射による皮膚や粘膜の乾燥を防ぐ保湿装置を提供すること。【解決手段】湿度及び／又は保湿微粒子の出力量を調節可能な保湿装置であって、所定時間間隔で照度を出力する照度センサー２を具備し、所定時間範囲において所定時間以上、照度センサー２から出力される照度が予め定められた基準値以上であれば、湿度及び／又は保湿微粒子を一定量増加させることとで、日射によって皮膚表面が暖まることで水分が放散して乾燥することを防いで、皮膚表面の防御機能を保つことができる。【選択図】図１
2011242043.tif 000002
【特許請求の範囲】
【請求項１】
湿度及び／又は保湿微粒子の出力量を調節可能な保湿装置であって、
所定時間間隔で照度を出力する照度センサーを具備し、
所定時間範囲において所定時間以上、前記照度センサーから出力される照度が予め定められた基準値以上であれば、湿度及び／又は保湿微粒子を一定量増加させることを特徴とする保湿装置。
【請求項２】
前記保湿装置を室内に設けるとともに、前記室内の温度を検出する室内温度センサーを具備し、
前記室内温度に基づき湿度及び／又は保湿微粒子の出力量を制御することを特徴とする請求項１に記載の保湿装置。
【請求項３】
前記保湿装置を室内に設けるとともに、室外温度を検出する室外温度センサーを具備し、前記室外温度に基づき湿度及び／又は保湿微粒子の出力量を制御することを特徴とする請求項１又は２に記載の保湿装置。
【請求項４】
湿度を検出するセンサーを具備し、前記湿度に基づき湿度及び／又は保湿微粒子の出力量を制御することを特徴とする請求項１〜３のいずれか１項に記載の保湿装置。
【請求項５】
送風装置を具備し、湿度及び／又は保湿微粒子の出力量を制御するに際して前記送風装置の風量を増減することを特徴とする請求項１から４のいずれかに記載の保湿装置。
【請求項６】
送風装置を具備し、湿度及び／又は保湿微粒子の出力量を制御するに際して前記送風装置の風向を変更することを特徴とする請求項１から５のいずれかに記載の保湿装置。
【発明の詳細な説明】
【技術分野】
【０００１】
本発明は、室内の照度を検出して、検出結果に基づき湿度もしくは保湿微粒子の出力量の調節をする保湿装置に関する。
【背景技術】
【０００２】
従来、この種の保湿装置として、日射量測定手段からの日射量に関する情報と、温度計からの外気温の情報とに基づいてダイニングに設置されている空気調和機の室内機の設定温度を決定する装置が考案されている（例えば、特許文献１参照）。
【０００３】
特許文献１に記載の空気調和機は、冬季における暖房の場合、次のような制御を行っている。すなわち、室内機に設置された設定温度決定装置の設定温度決定手段は、日射量測定手段からの日射量の情報を取得し、日射量が予め設定された値よりも多いときは、太陽光による温室効果によってダイニング内部の温度が上昇するものと判断する。そしてこのように判断した場合には、設定温度を低めに設定し、消費エネルギーを少なくしている。
【先行技術文献】
【特許文献】
【０００４】
【特許文献１】特開２０００−８８３１６号公報
【発明の概要】
【発明が解決しようとする課題】
【０００５】
しかしながら、特許文献１に記載の空気調和機では、日射が継続した場合に室内の人や物が太陽光の赤外線成分によって受ける影響として、温度のみが考慮されており、室内の湿度については言及されていない。一般に、太陽光に含まれる赤外線成分は物体表面を暖める作用があり、人ならば皮膚温が上昇して温かく感じると同時に皮膚表面から水分が徐々に放散していく。このため気付かないうちに皮膚や粘膜が乾燥し、水分放散の防御機能が失われて、皮膚トラブルをおこしやすくなったり、ウィルスや病原菌に対する抵抗力や免疫力が落ちる、という課題を有していた。
【０００６】
本発明は、上記課題を解決するもので、室内の照度に基づいて湿度及び／又は保湿微粒子を一定量増加するもので、皮膚や粘膜の乾燥を防ぐ保湿装置を提供することを目的とする。
【課題を解決するための手段】
【０００７】
上記従来の課題を解決するために、本発明の保湿装置は、所定時間間隔で照度を出力する照度センサーを具備し、所定時間範囲において所定時間以上、前記照度センサーから出力される照度が予め定められた基準値以上であれば、湿度及び／又は保湿微粒子を一定量増加させることを特徴とする。
【発明の効果】
【０００８】
本発明の保湿装置は、室内の照度に基づいて湿度及び／又は保湿微粒子を一定量増加するもので、日射による皮膚や粘膜の乾燥を防いで防御機能を保ち、抵抗力や免疫力を高めることができる。
【図面の簡単な説明】
【０００９】
【図１】本発明の実施の形態１における保湿装置（空気調和機）の斜視図
【図２】図１に示す保湿装置（空気調和機）のブロック図
【図３】本発明の実施の形態１における制御フローチャート
【図４】様々な部屋の照度とセンサー出力電圧の関係を示す図
【図５】被験者実験による肌水分量比較（冬季）を示す図
【図６】本発明の実施の形態２における保湿装置（空気調和機）の斜視図
【図７】図６に示す保湿装置（空気調和機）のブロック図
【図８】本発明の実施の形態２における制御フローチャート
【図９】保湿微粒子発生装置の一例を示す図
【図１０】被験者実験による肌水分量比較（夏季）を示す図
【発明を実施するための形態】
【００１０】
本発明の保湿装置は、湿度及び／又は保湿微粒子の出力量を調節可能な保湿装置であって、所定時間間隔で照度を出力する照度センサーを具備し、所定時間範囲において所定時間以上、照度センサーから出力される照度が予め定められた基準値以上であれば、湿度及び／又は保湿微粒子を一定量増加させることを特徴とするもので、日射による皮膚や粘膜の乾燥を防ぐことができる。
【００１１】
好ましくは、保湿装置を室内に設けるとともに、室内の温度を検出する室内温度センサーを具備し、室内温度に基づき湿度及び／又は保湿微粒子の出力量を制御することを特徴とするもので、室内温度に応じて湿度や保湿微粒子の出力量を調節することにより、快適な温湿度を保ちながら日射による皮膚や粘膜の乾燥を防ぐことができる。
【００１２】
好ましくは、保湿装置を室内に設けるとともに、室外温度を検出する室外温度センサーを具備し、室外温度に基づき湿度及び／又は保湿微粒子の出力量を制御することを特徴とするもので、前記保湿装置を室内に設けるとともに、前記室内の温度を検出する室内温度センサーを具備し、前記室内温度に基づき湿度もしくは保湿微粒子の出力量を制御することを特徴とするもので、外気温に応じてさらに適切に湿度もしくは保湿微粒子の出力量を調節することができ、日射による皮膚や粘膜の乾燥を防ぐことができる。
【００１３】
好ましくは、湿度を検出するセンサーを具備し、湿度に基づき湿度及び／又は保湿微粒子の出力量を制御することを特徴とするもので、室内湿度に応じて湿度もしくは保湿微粒子の出力量を調節することができ、日射による皮膚や粘膜の乾燥を防ぐことができる。
【００１４】
好ましくは、送風装置を具備し、湿度及び／又は保湿微粒子の出力量を制御するに際して送風装置の風量を増減することを特徴とするもので、皮膚の乾燥に影響を及ぼす気流を制御することができる。
【００１５】
好ましくは、送風装置を具備し、湿度及び／又は保湿微粒子の出力量を制御するに際して前記送風装置の風向を変更することを特徴とするもので、皮膚の乾燥に影響を及ぼす気流を制御することができる。
【００１６】
（実施の形態１）
図１は、第１の実施の形態における保湿装置である空気調和機の室内機の外観図を示すものである。本実施の形態では、保湿装置を空気調和機１として説明する。
また、図２は、図１に示す空気調和機の室内機のブロック図である。図１及び図２に示すように、空気調和機１の正面には照度センサー２が設けられており、この照度センサー２は居室内の照度を検出する。また空気調和機１には図２に示すように、照度センサー２の検出結果に基づき、空調を制御する制御部８が備わる。この制御部８は、例えば、マイコン、不揮発性メモリ及びＲＡＭから構成される。また、空気調和機１には送風機（図示せず）が設けられている。さらに、吹き出し口５を介して吹き出される風を制御して気流を作り出す風向制御羽根（水平フラップ６、垂直フラップ７）が設けられている。また、空
気調和機１は、湿度センサー及び加湿空気発生部９を備え、湿度の調節が可能である。
【００１７】
以上のように構成された空気調和機１について、以下、運転時の動作や作用を説明する。空気調和機１がリモコン（図示せず）の指示によって暖房運転を開始すると、空気調和機１は、加熱空気を吹き出し口５から室内に送風することで、リモコンにより指示された室温になるように制御する。このとき、室温上昇に伴って相対的に室内の湿度が下がるこれに対しては、ゼオライト等の吸着剤を利用する。例えば、室外空気中の水分をゼオライト等の吸着剤に取り込み、加熱することで水分を取り出し、この加湿空気を室内側に送り、加湿空気発生部９から室内に吹き出す。これによって室内湿度を上昇させてリモコン（図示せず）で指示された湿度になるように制御する。室温は吸い込み口４に設けられた温度センサー３によって検知される。また室内の湿度は同様に吸い込み口４に設けられた湿度センサー３ａによって検知される。
【００１８】
図３は、図２に示す制御部８の制御フローを示す。以下、図３のフローに沿って、制御部８による制御を説明する。空気調和機１の運転開始と同時に、照度センサー２は居室内の照度Ｌ１の検出を開始する（ステップＳ１）。この検出値は、制御部８へ送られ蓄積されていく。制御部８は、照度Ｌ１の検出値が一定値α以上である場合（ステップＳ２）、検出時間Ｐのカウントを開始する（ステップＳ３）。αの値は室内の一般的な照明器具による照度より高く設定することにより、照明による照度とは区別して日射による照度上昇と認識することが可能である。例えば、αの値は冷房時であれば照度センサー２の出力最大値Ｌｍａｘの４割程度、暖房時であれば同じく５割程度に設定する。
【００１９】
ここで、図４は様々な部屋において空気調和機１が設置される位置で照度を測定した値と照度センサー２の出力値との関係を示す。横軸に実際の照度、縦軸に照度センサー２の最大出力電圧に対する出力値の割合をそれぞれ示している。
【００２０】
図４によれば日射による照度センサー２の出力値は、空気調和機１の設置位置に関わらず、太陽高度の高い夏季では照度センサー２の出力最大値の４割を下回ることがなく、また太陽高度が低く日射が窓から侵入しやすい冬季には照度センサー２の出力最大値の５割を下回ることがなかった。また日射がある時に室内を厚地カーテン等で遮蔽した場合や室内の照明による照度センサー２の出力値は前記の日射による出力値を上回ることがなかった。
【００２１】
ここで再び図３を参照して、湿度調整のフローについて説明する。
図３の制御フローに示すように、所定時間範囲βの間にＬ１≧αの検出時間Ｐが、日射が確実に室内熱負荷に影響を及ぼすと考えられるβ／２以上あった場合（ステップＳ４）、制御部８は日射ありと判定する（ステップＳ５）。このβ／２は一時的な曇天などの可能性を考慮した。また所定時間範囲βは例えば室内の空調温度が安定する１０分程度に設定する。
【００２２】
さらにこのＰ≧β／２である所定時間範囲βが連続した場合、あるいは所定時間範囲３βのうち２βでＰ≧β／２が成立した場合（ステップＳ６）に、日射確定と判断して（ステップＳ７）湿度の調節を行う（ステップＳ８）。
【００２３】
具体的には日射確定判断後、加湿空気発生部９により設定湿度を５％程度上げる。そして、さらに条件成立が続けば、設定湿度をさらに５％程度上げる。ここで、湿度上昇が１０％以上になれば温冷感に影響を及ぼす可能性がある。また相対湿度７０％を超えると不快に感じたり雑菌の繁殖しやすい環境となる可能性もある。従って、ステップＳ９で示すどちらかの条件を満たせばそれ以上の湿度上昇を行わないようにしている（ステップＳ１０）。
【００２４】
ここで図５は、暖房時であって湿度４０％時及び５０％時それぞれについて、日射が３０分継続した場合と日射のない場合とにおける肌水分量を比較したものである。ここで、室温は２３℃としている。図から明らかなように、湿度４０％での日射あり、なしでは、日射がある場合で肌水分量が少ない。これに対して、湿度を５０％にしたときの日射ありの場合と、湿度を４０％にしたときの日射なしの場合での肌水分量を比較した場合、それ程の差がないことが分かる。
【００２５】
なお、皮膚の乾燥には気流の影響も大きい。そのため、ステップＳ８で同時に送風装置を制御して風量を減少させ、人が風に当たる量を減らす制御を行ってもよい。あるいは、水平フラップ６を上向きにして風向を室内天井へ向けたり、垂直フラップ７を外側へ向けて気流を拡散させる、という方法で同様に人に風が当たらないように制御することでも、皮膚や粘膜の乾燥を防ぐことが可能である。
【００２６】
次に居住者が上記制御フローの中で設定温度を変更した場合について説明する。居住者は室内に日射による熱の影響を感じた場合、自らリモコンにて設定温度を下げる可能性がある。この場合、室内温度が下がると同時に相対湿度が上昇するため、一旦制御フローはステップＳ１に戻る。その後設定温度を変更することがなければ再び日射による影響を考慮して、そこから制御フローを開始して湿度の調節をしていく。
【００２７】
また冬季は、日射があるにも関わらず低い外気温を示す可能性がある。この場合、空気は乾燥していると考えられる。従って、例えば外気温が１０℃未満である場合には、ステップＳ９でリモコン指示された湿度より１０％の上昇に留めていた湿度上昇をさらに１段階すすめて上昇させても良い。
【００２８】
なお、本実施例では空気調和機を例に説明したが、加湿器や加湿機能を持つ空気清浄機など、湿度調節ができる保湿装置であれば形態は問わない。
【００２９】
以上のように制御されれば、日射によって皮膚表面が暖まることで水分が放散して乾燥することを防いで、皮膚表面の防御機能を保ち、ウィルスや病原菌に対する抵抗力や免疫力を高めることができる。
【００３０】
（実施の形態２）
図６は、第２の実施の形態における保湿装置を示している。本実施の形態においても、保湿装置として空気調和機１について説明する。空気調和機の室内機の外観図を示すものである。なお、本実施の形態においては、実施の形態１における空気調和機の加湿空気発生部９にかえて、保湿微粒子発生部９ａを備えている。実施の形態１における空気調和機と同様の構成については同じ符号を付して説明を省略する。
図７は、図６に示す空気調和機の室内機のブロック図である。
【００３１】
以上のように構成された空気調和機１について、以下、冷房運転時の動作や作用を説明する。空気調和機１がリモコン（図示せず）の指示によって運転を開始すると、空気調和機１は、冷却空気を吹き出し口５から室内に送風することで、リモコンにより指示された室温になるように制御する。また室温低下に伴って相対的に室内の湿度が上がるが、冷却された熱交換器（図示せず）に室内の水分が吸着し、ドレンホースにより室外へ水を排出することにより、室内湿度を下降させて、リモコンで指示された湿度になるように制御する。室温は吸い込み口４に設けられた温度センサー３によって、また室内の湿度は同様に吸い込み口４に設けられた湿度センサー３ａによって検知されている。
【００３２】
図８は、図７に示す制御部８の制御フローを示す。以下、図８のフローに沿って、制御
部８による制御を説明する。実施の形態１と同じフローに関しては同じ符号を記して説明を省略する。
【００３３】
日射確定と判断した後（ステップＳ７ａ）、保湿微粒子を放出する保湿微粒子発生部９ａの放出量を増加させる（ステップＳ８ｂ）。
【００３４】
具体的には日射確定判断後、保湿微粒子の放出量を２割程度上げる。そして、さらに条件成立が続けば、保湿微粒子の放出量をさらに２割増加する。そして４割以上増加すれば（ステップＳ９ａ）になればそれ以上の増加を行わない（ステップＳ１０ａ）。
【００３５】
なお、実施の形態１と同様に、ステップＳ８ｂで同時に送風装置を制御して風量を減少させ、人が風に当たる量を減らす制御を行ってもよい。あるいは、水平フラップ６を上向きにして風向を室内天井へ向けたり、垂直フラップ７を外側へ向けて気流を拡散させる、という方法で同様に人に風が当たらないように制御することでも、皮膚や粘膜の乾燥を防ぐことが可能である。
【００３６】
さらに、外気温度によって、保湿微粒子発生量を調整することでよりきめ細かな制御が可能となる。
【００３７】
図９には保湿微粒子発生部９ａの一例を示す。保湿微粒子発生部９ａは静電霧化装置により構成することができる。該静電霧化装置の内部には、ペルチェ素子からなる冷却部１０があり冷却部１０が放電電極１１を冷却するようになっている。冷却された放電電極１１には空気中の水分が結露することになる。放電電極１１には対向する位置に対向電極１２があり、放電電極１１と対向電極１２の間に高電圧を印加することで、放電電極１１に結露した水が霧化されて水微粒子が発生するようになっている。水微粒子は吹き出し口５から室内の任意の位置に送ることができる。
【００３８】
ここで水微粒子の作用について説明する。水微粒子は通常の水蒸気より粒子の小さいナノメートルサイズのラジカルとして空気中に漂流し、皮膚表面で皮脂となじんで皮膚の保護をする役割を果たす。
【００３９】
図１０は日射が３０分継続した場合と日射のない場合に、保湿微粒子量を一定量から徐々に増加させた場合の肌水分量を比較したものである。ここで、室内温度は２７℃、湿度５０％としている。図から明らかなように日射がある場合に保湿微粒子を４割以上増加して放出すれば、日射のない場合に一定量を放出している場合と肌水分量はほぼ同等になっている。そして、それ以上増加させても効果は大きくないので、概ね４割程度の増量で、肌の乾燥を防ぐことが可能である。
【００４０】
なお、本実施例においては保湿微粒子は静電霧化装置から発生した水微粒子を示したが、イオン粒子など他の保湿微粒子においても同様の作用が得られるのは言うまでもない。
【００４１】
以上のように制御されれば、日射によって皮膚表面が暖まることで水分が放散して乾燥することを防いで、皮膚表面の防御機能を保ち、ウィルスや病原菌に対する抵抗力や免疫力を高めることができる。
【００４２】
なお、実施の形態１において説明した、加湿空気発生部９と保湿微粒子発生部９ａとをともに備えてもよいのは言うまでもない。
【産業上の利用可能性】
【００４３】
以上のように、本発明にかかる保湿装置は、所定時間間隔で照度を出力する照度センサ
ーを具備し、所定時間範囲において所定時間以上、前記照度センサーから出力される照度が予め定められた基準値以上であれば、湿度及び／又は保湿微粒子を一定量増加させる。これによって、日射による皮膚や粘膜の乾燥を防いで防御機能を保ち、抵抗力や免疫力を高めることができるので、住宅のリビング、あるいは病院やホテルの部屋などの空気調和機などの装置への用途にも適用できる。
【符号の説明】
【００４４】
１  空気調和機（保湿装置）
２  照度センサー
３  温度センサー
３ａ  湿度センサー
４  吸い込み口
５  吹き出し口
６  水平フラップ
７  垂直フラップ
８  制御部
９  加湿空気発生部
９ａ  保湿微粒子発生部
１０  冷却部
１１  放電電極
１２  対向電極
【図１】
2011242043.tif 000003
【図２】
2011242043.tif 000004
【図３】
2011242043.tif 000005
【図４】
2011242043.tif 000006
【図５】
2011242043.tif 000007
【図６】
2011242043.tif 000008
【図７】
2011242043.tif 000009
【図８】
2011242043.tif 000010
【図９】
2011242043.tif 000011
【図１０】
2011242043.tif 000012